【手続補正書】
【提出日】平成16年1月7日(2004.1.7)
【手続補正１】
【補正対象書類名】明細書
【補正対象項目名】発明の名称
【補正方法】変更
【補正の内容】
【発明の名称】廃棄通報装置およびセンター装置


【手続補正２】
【補正対象書類名】明細書
【補正対象項目名】特許請求の範囲
【補正方法】変更
【補正の内容】
【特許請求の範囲】
【請求項１】
使用者情報を登録記憶する記憶手段と、通信回線を利用して引取り者または仲介者のセンター装置に前記使用者情報を送信する通信手段とを備えて、機器の廃棄を連絡する時に前記通信手段は送信後に前記記憶手段に登録した使用者情報の削除を許可する許可信号を出力する廃棄通報装置。
【請求項２】
機器本体の製品情報を記憶手段に登録して、機器の廃棄を連絡する時に通信手段に出力する請求項１記載の廃棄通報装置。
【請求項３】
使用者が有する機器の製品情報を登録する記憶手段と、通信回線を利用して引取り者または仲介者のセンター装置に前記製品情報を送信する通信手段とを備えて、機器の廃棄を連絡する時に前記通信手段は送信後に前記記憶手段に登録した製品情報の削除を許可する許可信号を出力する廃棄通報装置。
【請求項４】
廃棄機器の引取り者やその仲介者の情報を記憶手段に登録して、機器の廃棄を連絡する時に最適な引取り者やその仲介者を検索して通信手段に出力する請求項１または３記載の廃棄通報装置。
【請求項５】
廃棄機器の引取り者の情報を第二の記憶手段に登録して、廃棄通報装置から受信した時に最適な引取り者を検索して出力し、前記廃棄通報装置の記憶手段に登録した使用者情報の削除を許可するセンター装置。
【請求項６】
機器使用情報を記憶手段に記憶して、機器の廃棄を連絡する時に通信手段に出力する請求項１または３記載の廃棄通報装置。
【請求項７】
記憶手段に製品情報や使用者情報、引取り者情報を登録した後に機器に使用開始信号を出力して機器を使用可能な状態とする請求項１または３記載の廃棄通報装置。
【請求項８】
引取り者やその仲介者のセンター装置に連絡したのちに機器に使用終了信号を出力して機器を使用不能な状態とする請求項１または３記載の廃棄通報装置。
【請求項９】
請求項１から４または６から８のいずれか１項に記載の廃棄通報装置の機能をコンピュータに実現させるプログラムを記録した記録媒体。
【請求項１０】
請求項５に記載のセンター装置の機能をコンピュータに実現させるプログラムを記録した記録媒体。
【手続補正３】
【補正対象書類名】明細書
【補正対象項目名】００１８
【補正方法】変更
【補正の内容】
【００１８】
すなわち、請求項１記載の発明のように、使用者情報を登録、記憶する記憶手段と、通信回線を利用して引取り者または仲介者のセンター装置に前記使用者情報を送信する通信手段とを備えて、機器の廃棄を連絡する時に前記通信手段は送信後に前記記憶手段に登録した使用者情報の削除を許可する許可信号を出力するものである。


【手続補正４】
【補正対象書類名】明細書
【補正対象項目名】００２０
【補正方法】変更
【補正の内容】
【００２０】
また、請求項２記載の発明のように、機器本体の製品情報を記憶手段に登録して、機器の廃棄を連絡する時に通信手段に出力するものである。


【手続補正５】
【補正対象書類名】明細書
【補正対象項目名】００２２
【補正方法】変更
【補正の内容】
【００２２】
また、請求項３記載の発明のように、廃棄通報装置は、使用者が有する機器の製品情報を登録する記憶手段と、通信回線を利用して引取り者または仲介者の端末装置に製品情報を送信する通信手段とを備えて、機器の廃棄を連絡する時に通信手段は送信後に記憶手段に登録した製品情報の削除を許可する許可信号を出力するものである。


【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】変更
【補正の内容】
【００２６】
また、請求項４記載の発明のように、廃棄機器の引取り者やその仲介者の情報を記憶手段に登録して、機器の廃棄を連絡する時に最適な引取り者やその仲介者を検索して通信手段に出力するものである。


【手続補正９】
【補正対象書類名】明細書
【補正対象項目名】００２８
【補正方法】変更
【補正の内容】
【００２８】
また、請求項５記載の発明のように、廃棄機器の引取り者の情報を仲介者のセンター装置の第二の記憶手段に登録して、廃棄通報装置から受信した時に最適な引取り者を検索して出力するものである。


【手続補正１０】
【補正対象書類名】明細書
【補正対象項目名】００３０
【補正方法】変更
【補正の内容】
【００３０】
また、請求項６記載の発明のように、機器使用情報を廃棄通報装置の記憶手段に記憶して、機器の廃棄を連絡する時に通信手段に出力するものである。


【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】変更
【補正の内容】
【００３６】
また、請求項７記載の発明のように、廃棄通報装置の記憶手段に製品情報や使用者情報、引取り者情報を登録した後に機器に使用開始信号を出力して機器を使用可能な状態とするものである。


【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】変更
【補正の内容】
【００４０】
また、請求項８記載の発明のように、廃棄通報装置は引取り者やその仲介者に連絡したのちに機器に使用終了信号を出力して機器を使用不能な状態とするものである。


【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００８６
【補正方法】変更
【補正の内容】
【００８６】
（１）使用者情報を登録、記憶する記憶手段と、通信回線を利用して使用者情報を送信する通信手段とを備え、使用者情報を記憶手段に登録し機器の廃棄を連絡する時に通信手段を通じて引取り者やその仲介者に連絡するので、使用者は自ら電話して自身の氏名や住所、電話番号などを説明する手間が省ける。加えて、連絡後は登録してある使用者情報を通信手段からの許可信号によって記憶手段から削除することができるようになるので廃棄した機器の廃棄通報装置から自身のプライバシーを削除することができる。


【手続補正２４】
【補正対象書類名】明細書
【補正対象項目名】００８７
【補正方法】変更
【補正の内容】
【００８７】
（２）機器本体の製品情報を記憶手段に登録し、製品情報を記憶手段に登録し機器の廃棄を連絡する時に通信手段を通じて引取り者やその仲介者に連絡するので、使用者が調べなくとも情報が正確に、また製造者が第三者に知らせたくないような情報が内密に引取り者やその仲介者に伝えられる。


【手続補正２５】
【補正対象書類名】明細書
【補正対象項目名】００８８
【補正方法】変更
【補正の内容】
【００８８】
（３）廃棄通報装置は、使用者が有する機器の製品情報を登録する記憶手段と、通信回線を利用して製品情報を送信する通信手段とを備え、ひとつまたは複数の機器の製品情報を記憶手段に登録し、それに含まれる機器の廃棄を連絡する時に通信手段を通じて引取り者やその仲介者に連絡するので、使用者は自ら電話して機器の機種番号や製造番号を説明する手間が省ける。加えて、連絡後は登録してある製品情報を通信手段からの許可信号によって記憶手段から削除することができるようになるので通報することなしに機器を廃棄した場合、その機器の情報が記録手段に永久に残り、後日にチェックできる。


【手続補正２６】
【補正対象書類名】明細書
【補正対象項目名】００８９
【補正方法】削除
【補正の内容】
【手続補正２７】
【補正対象書類名】明細書
【補正対象項目名】００９０
【補正方法】変更
【補正の内容】
【００９０】
（４）廃棄機器の引取り者やその仲介者の情報を記憶手段に登録して、機器の廃棄を連絡する時に最適な引取り者やその仲介者に連絡するので、使用者は引取り者やその仲介者の連絡先を調べる手間が省ける。また廃棄する機器に応じて最適な引取り者やその仲介者を自動的に選択できるとともに、正規の引取り者やその仲介者以外に廃棄機器を渡すことをなくすことができる。


【手続補正２８】
【補正対象書類名】明細書
【補正対象項目名】００９１
【補正方法】変更
【補正の内容】
【００９１】
（５）廃棄機器の引取り者の情報を仲介者のセンター装置の第二の記憶手段に登録して、廃棄通報装置から受信した時に最適な引取り者を検索して出力するので、廃棄通報装置は廃棄する機器によらずいつでも引取り者に通報すればよく通報装置自身が連絡先を検索するよりも構成が簡素化できる。また、センター装置にて引取り者情報を管理するので毎年情報を更新する際に個々の廃棄通報装置に更新情報を送るよりも効率を向上させることができる。


【手続補正２９】
【補正対象書類名】明細書
【補正対象項目名】００９２
【補正方法】変更
【補正の内容】
【００９２】
（６）機器使用情報を廃棄通報装置の記憶手段に記憶して、機器の廃棄を連絡する時に通信手段を通じて引取り者やその仲介者に連絡するので、引取り者やその仲介者はその機器がどのような状態で使用されてきたか等を知ることで再使用（中古品として使用）する部品と再利用（部品や材料に分解して使用）処理する部品とを的確に判別することができる。


【手続補正３０】
【補正対象書類名】明細書
【補正対象項目名】００９３
【補正方法】削除
【補正の内容】
【手続補正３１】
【補正対象書類名】明細書
【補正対象項目名】００９４
【補正方法】削除
【補正の内容】
【手続補正３２】
【補正対象書類名】明細書
【補正対象項目名】００９５
【補正方法】変更
【補正の内容】
【００９５】
（７）廃棄通報装置の記憶手段に製品情報や使用者情報、引取り者情報を登録した後に機器に使用開始信号を出力して機器を使用可能な状態とするので、廃棄通報装置に必要な情報を登録しなければ機器が使用可能な状態にならず、すべての機器が必ず廃棄通報装置に登録されることになり廃棄機器の回収率を向上させることができる。


【手続補正３３】
【補正対象書類名】明細書
【補正対象項目名】００９６
【補正方法】削除
【補正の内容】
【手続補正３４】
【補正対象書類名】明細書
【補正対象項目名】００９７
【補正方法】変更
【補正の内容】
【００９７】
（８）廃棄通報装置は引取り者やその仲介者に連絡したのちに機器に使用終了信号を出力して機器を使用不能な状態とするので、廃棄通報をした後は機器が使用不可能となり、一度廃棄した機器を中古品として再使用する際にもすべての機器が必ず廃棄通報装置に登録されることになり廃棄機器の回収率を向上させることができる。


【手続補正３５】
【補正対象書類名】明細書
【補正対象項目名】００９８
【補正方法】削除
【補正の内容】
【手続補正３６】
【補正対象書類名】明細書
【補正対象項目名】００９９
【補正方法】削除
【補正の内容】